(57)【要約】【課題】これまでの分散供給装置ではできなかったカット野菜に適する新たな組合せ計量装置を提供する。【解決手段】円錐形状の傾斜面を有する分散テーブル１０と、その分散テーブル１０に振動を付与する複数の電磁フィーダ２０と、前記分散テーブル１０の上方に所定の間隔を保って被せられてその分散テーブル１０上の物品を攪拌する攪拌器３０と、その攪拌器３０を鉛直軸回りに回転させる回転軸４０とを有し、その回転軸４０は、前記複数の電磁フィーダ２４，２５の間を通って前記分散テーブルの頭頂部を上下に貫通して前記攪拌器３０の回転中心と連結され、その回転軸４０の下端部は、前記複数の電磁フィーダ２４，２５の下方に配置された駆動モータ５０に連結されている。【選択図】図２
2014139552.tif 000002
【特許請求の範囲】
【請求項１】
上方から供給される物品を放射状に分散させる分散部と、前記分散部の回りに放射状に配列されて、前記分散部から供給される物品を下方の対応する複数のホッパへ排出する複数の供給フィーダとを備えてなる組合せ計量装置であって、前記分散部は、円錐形状の傾斜面を有する分散テーブルと、その分散テーブルに振動を付与する複数の電磁フィーダと、前記分散テーブルの上方に所定の間隔を保って被せられてその分散テーブル上の物品を攪拌する攪拌器と、その攪拌器を鉛直軸回りに回転させる回転軸とを有し、その回転軸は、前記複数の電磁フィーダの間を通って前記分散テーブルの頭頂部を上下に貫通して前記攪拌器の回転中心と連結され、その回転軸の下端部は、前記電磁フィーダの下方に配置された駆動モータに連結されていることを特徴とする組合せ計量装置。
【発明の詳細な説明】
【技術分野】
【０００１】
本発明は、組合せ計量装置に関し、特に、装置中央上部に供給された物品を複数の経路に分散させた後、各経路から対応する各計量ホッパへ物品を供給する分散供給装置を備えた組合せ計量装置の改良に関する。
【背景技術】
【０００２】
組合せ計量装置は、農産物、水産物、加工食品等のように、単体重量にばらつきのある物品を一定重量に計量する自動計量装置として広く知られているが、この装置の基本構成は、車座に配置された複数の計量ホッパと、各計量ホッパへ適量の物品を個別に供給する分散供給装置とで構成されている。
【０００３】
この分散供給装置は、上方から供給された物品を放射状に分散させる円錐形状の分散部（文献によっては、「分散テーブル」とか「分散フィーダ」と呼称される。）と、その分散部の周囲に放射状に配列されて、分散部から搬送されてくる物品を先端部まで搬送して下方の計量ホッパへ供給する複数の供給フィーダとで構成されている。
【０００４】
この分散供給装置の分散部には、取り扱う物品の性状によって種々の補助装置が付設される。例えば、スライスチーズのように粘着性を有する物品に対しては、分散部上にほぐし装置や回転羽根が取り付けられる（特許文献１参照）。また、刻み生姜や漬物類のように付着しやすい物品、あるいはヒジキ等のように絡みつき易い物品に対しては、分散部上に回転ほぐし棒や攪拌羽根が取り付けられる（特許文献２、３参照）。また、刻み味付け海苔や花かつお（登録商標）等のように見掛け比重の極めて小さい物品に対しては、分散部の上方に回転式の攪拌装置が吊り下げられる（特許文献４、５参照）。さらに、鶏肉等のカット肉に対しては、回転式の分散部上にそれとは独立して回転する螺旋部材が取り付けられる（特許文献６参照）。
【先行技術文献】
【特許文献】
【０００５】
【特許文献１】実開昭６４−８６３８号公報
【特許文献２】実用新案登録第２５３８６３３号公報
【特許文献３】特開２００２−２９６０９８号公報
【特許文献４】実用新案登録第２５７７７１６号公報
【特許文献５】特許第３７１８７２７号公報
【特許文献６】特開２０１０−１１２８９７号公報
【発明の概要】
【発明が解決しようとする課題】
【０００６】
ところが、特許文献１〜３に開示された分散部は、固定式で振動しないため、例えば、サラダ用のカット野菜等を分散部上に投入しても、カット野菜等が分散部上に付着して上手く移送されない問題が生ずる。これに対し、特許文献４、５に開示された分散部は、電磁フィーダによって振動するため、上記のような付着の問題は生じない。しかし、これらの分散部上には、回転体（特許文献４では、特に円錐分散体６の部分、特許文献５では、アジテータ１０の部分）が上方から吊り下げられているため、それらが分散部の上方からの物品供給を邪魔する。そのため、このタイプの分散部には、側方から物品を供給することになるので、物品は分散部上で偏在してしまう。それを前記回転体で周方向へ移動させようとしても、分散部の周りに配列された複数の供給フィーダには、満遍なく物品が行き渡らないという問題がある。
【０００７】
この問題に対しては、上記回転体の駆動系を分散部の下方に配置して、分散部の上方を開放してから物品を上方から供給するようにすれば良いが、これらの分散部の下部には、電磁フィーダが設置されているので、この電磁フィーダとの干渉を如何にして回避するかが技術的課題となる。
【０００８】
もっとも、特許文献６に見られるように、回転する分散部上にそれとは独立して回転する螺旋部材を設ける場合は、それぞれの回転軸を同軸上に配置することによって両者の駆動系を分散部の下方に配置することができる。しかし、カット野菜等は、分散部を回転させただけでは、特許文献１〜３の分散部に見られるような付着の問題が生ずるから、カット野菜等を対象とする場合には、この方式を採用することはできない。
【０００９】
本発明は、このような技術的課題を克服して、これまでの分散供給装置ではできなかったカット野菜に適する新たな組合せ計量装置を提供することを課題とする。
【課題を解決するための手段】
【００１０】
本発明に係る組合せ計量装置は、上方から供給される物品を放射状に分散させる分散部と、前記分散部の回りに放射状に配列されて、前記分散部から供給される物品を下方の対応する複数のホッパへ排出する複数の供給フィーダとを備えてなる組合せ計量装置であって、前記分散部は、円錐形状の傾斜面を有する分散テーブルと、その分散テーブルに振動を付与する複数の電磁フィーダと、前記分散テーブルの上方に所定の間隔を保って被せられてその分散テーブル上の物品を攪拌する攪拌器と、その攪拌器を鉛直軸回りに回転させる回転軸とを有し、その回転軸は、前記複数の電磁フィーダの間を通って前記分散テーブルの頭頂部を上下に貫通して前記攪拌器の回転中心と連結され、その回転軸の下端部は、前記電磁フィーダの下方に配置された駆動モータに連結されていることを特徴とする。
【００１１】
カット野菜等は、分散テーブルの上方から分散テーブル上へ供給されるが、分散テーブルは、電磁フィーダによって上下方向と周方向に螺旋状に振動するから、そこに供給されたカット野菜等は、分散テーブルに付着することなく下方へ移送される。さらに、分散テーブルは、円錐形状の傾斜面を有しているから、その頭頂部分に供給されたカット野菜等は、分散テーブルの全周へ分散しながら、その傾斜面に沿って下方へと移送される。
【００１２】
また、分散テーブル上には、攪拌器がそれとは非接触に被せられ、その攪拌器が円錐形状の傾斜面を有する分散テーブルの回りを鉛直軸回りに回転するから、分散テーブル上のカット野菜等が偏在していたり滞留したりしていても、攪拌器がそれを解しながら周方向へと分散させる。したがって、分散テーブル上のカット野菜等は、円周上に配列された各供給フィーダに満遍なく供給される。
【００１３】
また、カット野菜等は、分散テーブルに被せられた攪拌器の上方から攪拌器上に供給されるが、その攪拌器の回転中心部分に円錐形状のキャップを被せておくのが望ましい。こうしておけば、その中心部分でのカット野菜等の堆積を回避することができる。
【００１４】
分散テーブルに振動を付与する複数の電磁フィーダは、攪拌器を回転させる回転軸の周りに配置されて、回転軸との干渉が回避されている。そして、各電磁フィーダのベース部分と可動部分は、一体化されて全体として単体の電磁フィーダとして可動部分が振動するように構成されている。そして、これらのベース部分と可動部分の中央部分には、回転軸の直径より大きめの貫通孔が上下方向に設けられ、その貫通孔に前記回転軸が電磁フィーダとは絶縁した状態で上下に挿通される。
【００１５】
また、各電磁フィーダの下部には、支持フレームが設けられ、その支持フレームに前記回転軸を駆動する駆動モータが取り付けられる。また、その支持フレームを介して分散部全体が重量検出器に負荷され、その検出重量に基づいて分散部への物品供給が制御されるようになっている。
【００１６】
なお、防水カバーでもって分散部と供給フィーダのそれぞれの電磁フィーダを一体的に覆う場合には、この防水カバーの中央部分に回転軸を挿通する上下方向の貫通孔を設け、その貫通孔と回転軸との間にオイルシールを施して、水が回転軸に沿って防水カバー内に進入するのを阻止する。
【発明の効果】
【００１７】
本発明によれば、円錐形状の分散テーブルが振動するから、分散テーブル上にカット野菜等を供給しても、それを分散テーブルに付着させずに確実に分散させることができる。また、分散テーブル上に鉛直軸回りに回転する攪拌器を被せ、その攪拌器の駆動系を分散部の下方に配置したから、物品を分散部上から直接供給することができる。したがって、例えは、カット野菜等のように、付着し易く取り扱い難い物品であっても、これを各供給フィーダに満遍なく供給することができる組合せ計量装置を提供することができる。
【図面の簡単な説明】
【００１８】
【図１】本発明に係る組合せ計量装置の一実施形態の概略正面図
【図２】上記組合せ計量装置の分散部の内部構造を示す断面図
【図３】電磁フィーダの平面図
【図４】攪拌器の平面図
【図５】攪拌器の正面断面図
【図６】分散テーブル内に収納されるチェンバーの構造を示す拡大断面図
【図７】上側防水カバーの正面断面図
【図８】攪拌器の第２の実施形態を示す概略正面図
【図９】攪拌器の第３の実施形態を示す概略正面図
【図１０】攪拌器の第４の実施形態を示す概略正面図
【図１１】攪拌器の第５の実施形態を示す概略正面図
【図１２】第５の実施形態に係る攪拌器を分散部に装着したときの部分断面図
【発明を実施するための形態】
【００１９】
以下、本発明の一実施形態を図面に基づいて説明する。
【００２０】
図１は、カット野菜に適する組合せ計量装置の一実施形態の概略正面図を示す。この図において、組合せ計量装置１は、上方から供給された物品を放射状の複数の経路に分散して下方へ排出する分散供給部１００と、その下段に配置されて、分散供給部１００から排出された複数経路からの物品を組合せて所定重量の物品に計量して排出する組合せ計量部２００と、その下段に配置されて、組合せ計量部２００から排出された物品を一つにまとめる集合ホッパ部３００とで構成されている。
【００２１】
分散供給部１００は、上方から供給される物品を放射状に分散させる円錐形状の分散部１１０と、分散部１１０の回りに放射状に配列されて、物品を少量ずつ個別に排出する複数の供給フィーダ１２０とで構成されている。
【００２２】
組合せ計量部２００は、各供給フィーダ１２０の排出端下方に配置された複数のプールホッパＰＨと、その下段に配置された同数の計量ホッパＷＨと、各ホッパＰＨ，ＷＨに囲まれてこれらを着脱自在に支持する本体２１０とで構成されている。この本体２１０は、防水仕様に設計され、その内部には、各ホッパＰＨ，ＷＨのゲートＧを開閉させる駆動機構と計量ホッパＷＨが負荷される図示しない重量検出器とが収納されている。
【００２３】
集合ホッパ部３００は、各計量ホッパＷＨに対応させて車座に配列された複数の個別シュート３１０と、各個別シュート３１０の下段に配置された上下２段の漏斗状の集合シュート３２０とで構成されている。
【００２４】
なお、後述する攪拌器３０と各供給フィーダ１２０、プールホッパＰＨ、計量ホッパＷＨ、個別シュート３１０は、分散部１１０の頭頂部を頂点とする鉛直軸回りに等間隔に複数組配列されるが、図１では、対向する左右のものしか図示していない。
【００２５】
分散部１１０の詳細は、後述するとして、その回りに放射状に配列される複数の供給フィーダ１２０は、下り傾斜の複数の供給トラフ１２１と、それぞれの供給トラフ１２１に個別に振動を付与する同数の電磁フィーダ１２２（図２参照）とで構成されている。これらの電磁フィーダ１２２と、図２に示す分散部１１０の電磁フィーダ２０と回転軸４０を回転させる駆動モータ５０等の駆動系は、上下２段に構成された防水カバー１３０内に収納されている。また、下側の防水カバー１３０の外側面には、４個のブラケット１４０が取り付けられ、その上に立方体形状のフレーム１５０が取り付けられている。また、そのフレーム１５０の中央部分には、下部が暖簾状に切り裂かれた円筒部材１６０が取り付けられている。この円筒部材１６０の下部は、柔軟性のある合成樹脂で形成され、上方からカット野菜等の物品が円筒部材１６０内に供給されると、物品は、円筒部材１６０内に貯留された後、その暖簾状の下端部から分散部１１０の傾斜面に沿って略均等に漸次排出されるようになっている。
【００２６】
こうした分散供給部１００は、組合せ計量部２００の本体２１０上に設置されるが、この本体２１０は、４本の支持脚２２０を介して本体ベース部３３０に支持されている。この本体ベース部３３０は、中央部分が上下に貫通した平面視ロの字形の形状に形成された防水構造のケーシングであって、その上面には、個別シュート３１０を支持するリング状フレーム３４０が支柱３５０を介して取り付けられている。また、上下２段の集合シュート３２０は、本体ベース部３３０に図示しないブラケットを介して取り付けられている。
【００２７】
なお、分散供給部１００の側方には、分散部１１０上の物品の堆積状態を監視するカメラ４００がポール４１０を介して適宜な箇所に取り付けられている。そのカメラ４００で撮像された映像は、図示しない操作パネルや携帯端末に表示され、それを見ながら分散テーブル１１０の振動強度や振動時間、攪拌器３０の回転速度や回転方向が適宜に調整できるようになっている。なお、前記ポール４１０は、本体ベース部３３０上に固定される。
【００２８】
図２は、分散部１１０の内部構造を示す断面図である。この図において、分散部１１０は、円錐台状の分散テーブル１０と、その分散テーブル１０に振動を付与する電磁フィーダ２０と、分散テーブル１０上に、それと所定の間隔を保って被せられる蛸足状の攪拌器３０と、その攪拌器３０を鉛直軸回りに回転させる回転軸４０と、その回転軸４０を回転させる駆動モータ５０と、その回転軸４０の先端部に取り付けられた円錐形状のキャップ６０とで構成されている。
【００２９】
分散テーブル１０は、ステンレス板を折り曲げて円錐台形状に成形されたもので、その頭頂部には、回転軸４０を貫通させるドーナツ型のプレート１１が溶接され、その下端部には、短小の円筒１２が全周に亘って溶接されている。また、分散テーブル１０の内側下部の内周面には、ドーナツ型の第１プレート１３が全周に亘って溶接され、その第１プレート１３の複数箇所には、ボルト１４が等間隔に下向きに溶接されている。なお、前記プレート１１に形成された貫通孔１１ａの直径は、回転軸４０の先端に固定されたボス３４の直径とは、やや大きめに形成されて、分散テーブル１０が振動してもボス３４に接触しないようになっている。
【００３０】
一方、後述する電磁フィーダ２０の２つの可動端部２１，２１（図３参照）の中央部分には、それぞれにネジ穴２２，２２が形成され、その各可動端部２１，２１上に第１プレート１３よりやや小さい円盤状の第２プレート１５（図２参照）が設置され、その上から下端部にボルトが形成された支柱１６，１６が２つの可動端部２１，２１のそれぞれのネジ穴２２，２２（図３参照）にネジ込まれて、第２プレート１５を可動端部２１，２１上に固定する。なお、この第２プレート１５の中心部にも回転軸４０を貫通させるための、それより大きい直径の貫通孔１７が設けられている。
【００３１】
そして、分散テーブル１０を電磁フィーダ２０に固定する前段階では、上側の防水カバー１３０の上には、前述の２本の支柱１６，１６と、それらによって電磁フィーダ２０に固定された第２プレート１５と、後述のチェンバー８０とが露出した状態となっているから、それらの上から分散テーブル１０を被せて、頭頂部のプレート１１に形成された貫通孔１１ａに回転軸４０の先端部を挿通してから、電磁フィーダ２０に連結された第２プレート１５の周縁部の馬鹿穴に分散テーブル１０の第１プレート１３の下向きボルト１４を差し込む。そして、第２プレート１５から飛び出たボルト１４にナット１８を捻じ込んで固定することにより、分散テーブル１０の第１プレート１３を電磁フィーダ２０に固定された第２プレート１５に固定する。
【００３２】
また、左右の支柱１６，１６は、それぞれの上端部が分散テーブル１０の頭頂部のプレート１１に接する長さに形成され、それらの上端部には、ネジ穴が形成されているので、それらのネジ穴にプレート１１の馬鹿穴を重ねてボルト１９，１９を捻じ込むことにより分散テーブル１０の頭頂部のプレート１１を支柱１６，１６に固定する。こうして、分散テーブル１０の頭頂部のプレート１１と下端部の第１プレート１３とを電磁フィーダ２０の可動端部２１，２１に固定する。
【００３３】
図３は、電磁フィーダ２０の平面図を示す。この図３において、電磁フィーダ２０は、中央部分を貫通する回転軸４０を囲むように、それより左側に位置する第１電磁フィーダ２４と、右側に位置する第２電磁フィーダ２５とで構成され、それらのベース部分２６と可動部分２３は一体化されて、単体の電磁フィーダ２０として可動部分２３全体が振動するように構成されている。
【００３４】
すなわち、第１電磁フィーダ２４は、ベース部分２６に固定された電磁石２４ａ（図２参照）と、可動部分２３に固定された可動コアー２４ｂ（図２参照）と、電磁石２４ａを間に挟んで互いに交差する方向に配置された板バネ２４ｃ，２４ｄとで構成されている。また、第２電磁フィーダ２５は、ベース部分２６に固定された電磁石２５ａ（図２参照）と、可動部分２３に固定され可動コアー２５ｂ（図２参照）と、電磁石２５ａを間に挟んで互いに交差する方向に配置された板バネ２５ｃ，２５ｄとで構成されている。また、各板バネ２４ｃ，２４ｄ，２５ｃ，２５ｄは、それぞれが四角形の各辺に位置して各辺を一巡する方向に傾斜して取り付けられている。そして、電磁石２４ａ，２５ａにパルス波を通電すると、可動部分２３の底面に取り付けられた２つの可動コアー２４ｂ，２５ｂが電磁石２４ａ，２５ａに引き付けられたり、板バネ２４ｃ，２４ｄ，２５ｃ，２５ｄによって引き戻されたりすることにより、可動部分２３全体が上下方向と周方向に螺旋状に振動するようになっている。なお、各電磁石２４ａ，２５ａに供給されるパルス波は、位相を同じくした、コントロールされた電流である。
【００３５】
この可動部分２３上には、２つの可動端部２１，２１がそれぞれ固定されているが、それらの中央部分には、回転軸４０の直径よりも大きい矩形の貫通孔２７が形成され、そこに回転軸４０が可動部分２３と接触しないように挿通されている。なお、図３の符号２４ｅ，２５ｅで示した部分は、可動部分２３の底面に可動コアー２４ｂ，２５ｂを固定するための六角穴付きボルトの頭である。
【００３６】
一方、ベース部分２６の中央部分には、回転軸４０の直径より大きい円形の貫通孔２８が設けられ、そこに回転軸４０が上下に挿通されている。さらに、ベース部分２６の下部には、都合４個のコイルスプリング２９が取り付けられ、これらのコイルスプリング２９でもって電磁フィーダ２０全体が支持フレーム７０の上プレート７１上に取り付けられている。この支持フレーム７０は、回転軸４０とそれを駆動する駆動モータ５０とを固定したもので、上下のプレート７１，７２と、これらを連結する４本の支柱７３〜７３とで構成されている。なお、駆動モータ５０は、上プレート７１の一部を折り曲げて形成されたブラケット７４に取り付けられている。
【００３７】
図４は、分散テーブル１０に被せられる攪拌器３０の平面図を示し、図５は、その正面断面図を示す。これらの図において、攪拌器３０は、ドーナツ型の円盤３１とその周縁部から蛸足状に伸びた６本の攪拌棒３２〜３２とから構成されている。中央の円盤３１の周縁部には、攪拌棒３２〜３２を取り付ける延伸部３３〜３３が等間隔に下向き傾斜に形成され、それらの延伸部３３〜３３に攪拌棒３２〜３２の上端部がそれぞれ溶接されて、各攪拌棒３２〜３２が分散テーブル１０の傾斜面に沿うようになっている。また、円盤３１の中央部分には、ボス３４が溶接され、それが前記回転軸４０の先端部に勘合されて、その上から両ネジボルト６１（図６参照）を回転軸４０の先端部に形成されたネジ穴に捻じ込むことにより、ボス３４を回転軸４０の先端部に固定するようになっている。
【００３８】
なお、図２に示すように、両ネジボルト６１の上部には、円錐形状のキャップ６０が取り付けられる。このキャップ６０の底面は、円盤６２で塞がれているが、その底面中央部分には、ナット６３が溶接され、そこに両ネジボルト６１の上側ボルトが捻じ込まれる。これにより、キャップ６０は、回転軸４０の先端部に固定されて、攪拌器３０とともにキャップ６０の頂点を通る鉛直軸回りに回転する。
なお、ボス３４の内周面には、キー溝３５が形成され、そこにキーが差し込まれて回転軸４０とボス３４とが連結されるようになっている。
【００３９】
図２に戻って、回転軸４０は、前記キャップ６０の下部から電磁フィーダ２０の下方まで伸びる長さを有する。また、回転軸４０の下端部には、ベベルギアー４１が取り付けられ、そのベベルギアー４１に動力を伝達する他方のベベルギアー５１は、駆動モータ５０の駆動軸に取り付けられている。また、支持フレーム７０の上プレート７１の下面には、ハウジング４２が固定され、そのハウジング４２内に回転軸４０を支持する上下のベアリング４３が収納されている。また、そのベアリング４３と回転軸４０との境界には、図示しないＣリングが装着されて、回転軸４０の下方への抜け落ちが防止されている。
【００４０】
また、この回転軸４０は、電磁フィーダ２０を収納した上側の防水カバー１３０を突き抜けて、分散テーブル１０内に収納されたチェンバー８０内のカップリング９０と連結されている。このカップリング９０の上部には、攪拌器３０を回転させる回転軸４０が連結されるが、カップリング９０をこの位置に設けたのは、防水カバー１３０内に収納された回転軸４０と、それより上方のチェンバー８０内に収納された回転軸４０との軸芯が多少ずれていても、それを吸収して回転力を先端部まで伝達するためである。
【００４１】
図７は、電磁フィーダ２０を水密裡に収納する上側防水カバー１３０の部分断面図を示す。この図において、上側防水カバー１３０は、円筒部１３１と、その上端を塞ぐ天板部１３２と、円筒部１３１の下端に形成されたフランジ１３３とで形成されている。この天板部１３２の中央部分には、回転軸４０を挿通する貫通孔１３４と、電磁フィーダ２０の２つの可動端部２１，２１を貫通させる２つの貫通孔１３５，１３５とが形成されている。中央の貫通孔１３４には、同径のシリンダ１３６が溶接され、そのシリンダ１３６内に回転軸４０が挿通される。また、シリンダ１３６の上端には、ドーナツ型の円盤１３７が取り付けられ、その円盤１３７の周縁部には、内側の４本のボルト１３８と、外側の４本のボルト１３９が上向きに取り付けられ、それらのボルト１３８，１３９に後述のチェンバー８０が取り付けられる。なお、シリンダ１３６の上下の端部と回転軸４０との間には、樹脂で成形されたブッシュ８１（図６参照）が嵌め込まれ、回転軸４０はブッシュ８１で保持されている。
【００４２】
このように構成された防水カバー１３０は、回転軸４０をシリンダ１３６内に挿通しながら電磁フィーダ２０に被せられて、下側の防水カバー１３０とボルト１３０ａでもって連結される。そして、貫通孔１３５，１３５からは、電磁フィーダ２０の可動端部２１，２１が突き出るが、その部分には、防水ベローズ１７０が被せられて密閉される。すなわち、貫通孔１３５の回りには、バーリング加工が施されたネジ穴１３５ａ〜１３５ａが形成され、そこにベローズ１７０の下端面を天板部１３２に圧着させる図示しないプレートがネジ止めされる。これにより、ベローズ１７０の下端面が天板部１３２の上面に密着固定される。また、ベローズ１７０の上端面には、図示しないプレートが被せられ、そのプレートが可動端部２１に形成されたネジ穴２２ａ〜２２ａにネジ止めされて、２つの貫通孔１３５，１３５が防水ベローズ１７０によって密閉される。
この防水ベローズ１７０は、後述の防水ベローズ８８（図６参照）とともに柔軟な合成ゴムで形成されて、可動端部２１，２１が振動しても、防水カバー１３０には、振動が伝わらないようになっている。
【００４３】
図６は、カップリング９０を収納したチェンバー８０を拡大して示した部分断面図である。この図７と図６において、防水カバー１３０の円盤１３７に取り付けられた内側４本のボルト１３８には、上端部と下端部にそれぞれメネジが形成された支柱８２〜８２が捻じ込まれて鉛直に立てられる。また、その上に中央部に貫通孔が形成されたドーナツ型のプレート８３が被せられ、そのプレート８３がボルト８４でもって支柱８２の上端部に固定されている。また、プレート８３上には、ハウジング８５が設置され、そのハウジング８５内には、回転軸４０を支持するベアリング８６が収納されている。また、そのハウジング８５には、上端部に貫通孔を有するカバー８７が被せられ、そのカバー８７の貫通孔から突き出るハウジング８５には、防水仕様のベローズ８８が被せられて、そのベローズ８８の下端面がカバー８７の上面に密着固定される。また、ベローズ８８の上端面には、ドーナツ型の円盤８９が被せられ、その上からボルト９１がハウジング８５と共に前記プレート８３に固定されることにより、ベローズ８８の上端面が密閉される。また、前記円盤８９の中央部に設けられた貫通孔には、回転軸４０が挿通されるが、その回転軸４０と貫通孔との間には、オイルシール９４が施されて、そこから水がチェンバー８０内に浸入しないようになっている。また、カバー８７の下端部には、フランジ９２が形成され、そのフランジ９２に形成された４個の馬鹿穴を円盤１３７上に固定された外側ボルト１３９（図７参照）に嵌めてナット９３で締め付けることにより、カバー８７が円盤１３７上に固定されるようになっている。
【００４４】
こうして、攪拌器３０を回転させる回転軸４０は、電磁フィーダ２０とは絶縁した状態で、防水カバー１３０と、それと連結されたチェンバー８０とを貫通して、分散テーブル１０の頭頂部プレート１１に形成された貫通孔１１ａから上方に突出する。そして、その先端部には、前述の攪拌器３０が取り付けられる。
【００４５】
＜変形実施例＞
以上の実施形態では、２つの電磁フィーダ２４，２５を回転軸４０の回りに配置して一つの電磁フィーダ２０を構成したが、この発明は、これに限定されるものではなく、例えば、３つ或いは４つの電磁フィーダを回転軸４０の回りに配置することによって一つの電磁フィーダを構成しても良い。その場合においても、各電磁フィーダのベース部分と可動部分を一体化して、可動部分全体が上下方向と周方向に螺旋状に振動するようにする。
【００４６】
また、以上の実施形態では、攪拌器３０を６本の蛸足状の攪拌棒３２で構成したが、この発明は、これに限定されるものではなく、カット野菜の種類や大きさ、水分の付着状態、毎回の供給量等に応じて、種々の形状のものが採用可能である。図８〜図１１は、その他の実施形態を示したものである。
【００４７】
図８は、図５の攪拌棒３２を短くカットし、そこに長方形状の攪拌板３６を溶接したもので、中央部分のボス３４と、それに取り付けられた円盤３１は、図５のそれらに対応する部材と同じで構成である。したがって、各攪拌板３６は、ボス３４の回りに等間隔に６個取り付けられるが、この図では、対向する左右の攪拌板３６だけを示し、その他の攪拌板は、省略している。また、この攪拌板３６は、カット野菜の種類やサイズ等に応じて、攪拌棒３２の軸周りに適宜な角度だけ回転させて、すなわち、傾斜させて固定されこともある。
【００４８】
図９は、図８の攪拌板３６を大きくしただけのもので、この図においても、図８と同様に左右の攪拌板３６だけを示し、他の４本の攪拌板は、省略している。また、この実施形態においても、攪拌板３６は、攪拌棒３２の軸周りに適宜な角度だけ回転させて固定されることもある。
【００４９】
図１０は、図５の下り傾斜の攪拌棒３２を途中から上向きに折り曲げて、折り曲げられたその先端部に攪拌板３６を溶接したものである。この形態では、特に分散テーブル１０と供給フィーダ１２０との境界部分に堆積するカット野菜が嵩張るときに有効となる。この図においても、図８と同様に左右の攪拌板３６だけを示し、他の４本の攪拌板は、省略している。なお、以上の攪拌器３０では、何れも攪拌棒３２や攪拌板３６を６個としているが、これに限定されるものではなく、カット野菜の種類や堆積量、その他の事情に応じて、適当な本数のものを使用することができる。
【００５０】
図１１は、前述の攪拌棒３２や攪拌板３６を使用しないタイプの攪拌器３０を示したものである。この図においては、上側に上半分の平面図を示し、下側にその正面断面図を示している。この図において、ドーナツ型の円盤３１の中心部には、前述と同様なボス３４が溶接されている。また、この円盤３１の外周には、分散テーブル１０の傾斜面と相似形のやや大きい傾斜面を有する円錐台形状の部材３７が溶接され、その部材３７の下端部には、平面視で十字形のアーム部材３８が溶接され、そのアーム部材３８の各先端部に円筒形のドラム３９が溶接されている。したがって、傾斜面を有する部材３７とドラム３９との間は開放されて、そこからカット野菜が放出されるようになっている。
【００５１】
図１２は、図１１に示す攪拌器３０を分散テーブル１０上に搭載した状態の概略構成図を示す。この図において、分散テーブル１０上に供給されたカット野菜は、攪拌器３０の回転に伴って傾斜面を有する部材３７とドラム３９との間から矢印Ａで示すように供給フィーダ１２０に供給されることになる。
【００５２】
なお、以上の各実施形態の攪拌器３０は、一方向に回転したり、間歇的に正転逆転を繰り返したりして、各供給トラフ１２１に満遍なくカット野菜が供給されるように制御される。また、その回転速度も、カット野菜の分散供給状態に応じて適宜な速度に制御される。
【符号の説明】
【００５３】
１    組合せ計量装置
１０    分散テーブル
２０    電磁フィーダ
２４    第１電磁フィーダ（電磁フィーダ）
２５    第２電磁フィーダ（電磁フィーダ）
３０    攪拌器
４０    回転軸
５０    駆動モータ
１１０    分散部
１２０    供給フィーダ
ＰＨ    プールホッパ（ホッパ）
ＷＨ    計量ホッパ（ホッパ）
【図１】
2014139552.tif 000003
【図２】
2014139552.tif 000004
【図３】
2014139552.tif 000005
【図４】
2014139552.tif 000006
【図５】
2014139552.tif 000007
【図６】
2014139552.tif 000008
【図７】
2014139552.tif 000009
【図８】
2014139552.tif 000010
【図９】
2014139552.tif 000011
【図１０】
2014139552.tif 000012
【図１１】
2014139552.tif 000013
【図１２】
2014139552.tif 000014